(57)【特許請求の範囲】
【請求項１】
マークが対応付けられた複数のボール収納部が配置された第１抽選エリアと、
前記第１抽選エリアを転動するボールと、
前記第１抽選エリアにおいて前記複数のボール収納部から前記ボールが収納されたボール収納部に対応付けられたマークを当選番号として検出する当選番号検出手段と、
前記当選番号検出手段によって検出された当選番号を予想して貯留された遊技媒体に基づいて行われる遊技者のベット操作を受け付けるベット受付手段と、
前記当選番号検出手段によって検出される当選番号と前記ベット受付手段によって受け付けられた前記ベット操作とに基づいて遊技者に特典を付与する特典付与手段と、を有するルーレットゲーム機であって、
前記第１抽選エリアと独立して設けられるとともに複数の特別ボール収納部が配置された第２抽選エリアと、
前記ボール収納部に収納されたボールを打ち出すボール打出手段と、
前記ボール打出手段によって打ち出されたボールを前記第１抽選エリアから前記第２抽選エリアへと搬送するボール搬送手段と、
前記ボール搬送手段によって搬送されたボールが収納された第２抽選エリアの特別ボール収納部に基づいて遊技者に特典を付与する特別特典付与手段と、を有することを特徴とするルーレットゲーム機。
【請求項２】
前記ボール搬送手段は、前記第１抽選エリアで昇降可能に支持されるとともに前記ボール打出手段によって打ち出されたボールの進行方向を第２抽選エリア方向へと変更する進行方向変更手段を備えることを特徴とする請求項１に記載のルーレットゲーム機。
【発明の詳細な説明】
【技術分野】
【０００１】
本発明は、ルーレット盤上でボールの転動を行うとともに、ボールが収納されたボール収納部の種類に基づいて特典を付与するルーレットゲーム機に関し、特に、第１抽選エリアと第２抽選エリアの２つのエリアを用いて抽選を行うとともに、ボール収納部から所定方向にボールを打ち出して第２抽選エリアへとボールを移動させるルーレットゲーム機に関する。
【背景技術】
【０００２】
ルーレットゲーム機等の遊技媒体としてメダルを使用する所謂メダルゲームは、遊技者がメダル貸出機で複数のメダルを購入あるいは借用し、このメダルを遊技機に投入することにより開始することができるゲームであり、遊技者がゲームに勝てば、所定の枚数のメダルが払い出されるものである。従って、多数のメダルを獲得することができた遊技者は、新たにメダルを購入あるいは借用することなく、継続してゲームを楽しむことができる。
ここで、特にルーレットゲーム機やビンゴゲーム機等の抽選に実際のボールを用いるゲーム装置では、投入されたボールが装置内を転がり、装置内に形成されたいずれかの溝に収容保持されることによってゲームが進行する。その結果、例えばルーレットゲーム機では、プレーヤの選択したマーク（数字）と、ボールが収容されたマーク（数字）とが一致（入賞）したか否かが判定され、同じマーク（数字）の溝に収容保持（当たり）されていると判定された際には、所定の倍率でメダルがプレーヤに払い戻しされる。
【０００３】
そして、このようなルーレットゲーム機やビンゴゲーム機は遊技そのものが単純な構成であるため、遊技者を飽きさせないために従来より様々な方法で遊技の多様化が行われていた。例えば、特開２００４−９７４８７号公報には第１抽選部と第２抽選部の２種類の抽選部を設け、先ず第１抽選部で抽選を行い、その後にボールがジャックポット抽選用の通路を通過した場合には、第２抽選部であるジャックポット抽選装置へとボールが案内され、ジャックポットゲームが行われるビンゴゲーム機について記載されている。
【特許文献１】特開２００４−９７４８７号公報（第６頁〜第９頁、図１１、図１２）
【発明の開示】
【発明が解決しようとする課題】
【０００４】
しかしながら、前記した特許文献１に記載されたビンゴゲーム機においては、ボールが収納されたポケットの種類と、収納されたタイミングに基づいて第２抽選部へのボールの案内通路が形成され、その通路を通ってボールが第２抽選部へと案内されるのみであるので、第２抽選部へと移行するボールの流れに大きな変化が生じることが無かった。従って、第２抽選部へと抽選が移行した場合であっても、遊技者の遊技に対する注目や達成感が十分に得られず、また、第２抽選部での抽選結果に対する期待感も得られなかった。
【０００５】
本発明は、前記従来の問題点を解消するためになされたものであり、一旦ボール収納部に収納されたボールを打ち出すことによってボールを第２抽選エリアへと移動させて抽選を行うので、第２抽選エリアの抽選に移行したことに対して遊技者に視覚的に大きな達成感を与えることができるとともに第２抽選エリアでの抽選結果に対する期待感も向上させるルーレットゲーム機を提供することを目的とする。
【課題を解決するための手段】
【０００６】
前記目的を達成するため請求項１に係るルーレットゲーム機（例えば、ルーレットゲー
ム機１）は、マーク（例えば、番号表示板２４）が対応付けられた複数のボール収納部（例えば、ボール収納部２３）が配置された第１抽選エリア（例えば、第１抽選エリア１０１）と、前記第１抽選エリアを転動するボール（例えば、ボール１１）と、前記第１抽選エリアにおいて前記複数のボール収納部から前記ボールが収納されたボール収納部に対応付けられたマークを当選番号として検出する当選番号検出手段（例えば、サーバ制御用ＣＰＵ８０、Ｓ１９）と、前記当選番号検出手段によって検出された当選番号を予想して貯留された遊技媒体に基づいて行われる遊技者のベット操作を受け付けるベット受付手段（例えば、ステーション４）と、前記当選番号検出手段によって検出される当選番号と前記ベット受付手段によって受け付けられた前記ベット操作とに基づいて遊技者に特典を付与する特典付与手段（例えば、サーバ制御用ＣＰＵ８０、Ｓ２６）と、を有するルーレットゲーム機であって、前記第１抽選エリアと独立して設けられるとともに複数の特別ボール収納部（例えば、特別ボール収納部１０４）が配置された第２抽選エリア（例えば、第２抽選エリア１０２）と、前記ボール収納部に収納されたボールを打ち出すボール打出手段（例えば、固定吐出口３３）と、前記ボール打出手段によって打ち出されたボールを前記第１抽選エリアから前記第２抽選エリアへと搬送するボール搬送手段（例えば、シャッタ３２）と、前記ボール搬送手段によって搬送されたボールが収納された第２抽選エリアの特別ボール収納部に基づいて遊技者に特典を付与する特別特典付与手段（例えば、サーバ制御用ＣＰＵ８０、Ｓ２６）と、を有することを特徴とする。
【０００７】
また、請求項２に係るルーレットゲーム機（例えば、ルーレットゲーム機１）は、請求項１に記載のルーレットゲーム機において、前記ボール搬送手段（例えば、シャッタ３２）は、前記第１抽選エリア（例えば、第１抽選エリア１０１）で昇降可能に支持されるとともに前記ボール打出手段によって打ち出されたボールの進行方向を第２抽選エリア（例えば、第２抽選エリア１０２）方向へと変更する進行方向変更手段（例えば、シャッタ３２）を備えることを特徴とする。
【発明の効果】
【０００９】
請求項１に係るルーレットゲーム機では、ボール収納部に収納されたボールを所定方向に打ち出すことにより、ボールを第２抽選エリアへと移動させ、第２抽選エリアにおいてボールが収納された特別ボール収納部に基づいて遊技者に特典を付与するので、第２抽選エリアへと搬送する際にボールの流れに大きな変化を与えることが可能となる。従って、第２抽選エリアの抽選に移行したことに対して遊技者に視覚的に大きな達成感を与えることができるとともに第２抽選エリアでの抽選結果に対する期待感も向上させることができる。
また、打ち出されたボールを第１抽選エリアから第２抽選エリアへとボールを搬送し、第２抽選エリアに搬送されたボールが収納された特別ボール収納部に基づいて遊技者に特典を付与するので、第２抽選エリアへと搬送する際にボールの流れに大きな変化を与え、第２抽選エリアでの抽選結果に対する期待感を向上させることができる。
【００１０】
また、請求項２に係るルーレットゲーム機では、第１抽選エリアで昇降可能に支持されるとともにボール収納部から送出されたボールの進行方向を第２抽選エリア方向へと変更する進行方向変更手段を備えるので、ルーレット盤の構成を従来の構造から大きく変化させることなくボールの搬送を行うことが可能となる。
【発明を実施するための最良の形態】
【００１２】
以下、本発明に係るルーレットゲーム機について具体化した一実施形態に基づき図面を参照しつつ詳細に説明する。尚、ルーレットゲーム機とは、遊技者がルーレット装置で決定される数字等を予想し、予想した数字等に所持するメダル等の遊技媒体をベットする。そして、ベットした数字等が当選したとき、遊技者が所定枚数のメダルの払い出しを受けることができる遊技機である。
【００１３】
先ず、本実施形態に係るルーレットゲーム機１の概略構成について図１に基づき説明する。図１は本実施形態に係るルーレットゲーム機１の概略構成を示す外観斜視図である。
図１に示すように、ルーレットゲーム機１は、本体部分となる筐体３と、筐体３の上面の略中央部に設けられたルーレット装置２と、ルーレット装置２の周囲にルーレット装置２を取り囲むようにして設置された複数個（本実施形態では１２個）のステーション４と、筐体３の上方に設けられた電光表示部７７と、から基本的に構成されている。
ここでステーション４とは、少なくとも、貨幣や遊技に使用するメダル等の遊技媒体を投入するメダル投入口５と、遊技者により所定の指示が入力される複数のコントロールボタン等からなるコントロール部６と、ゲームに係る画像を表示させる画像表示装置７とを有する遊技領域である。そして、遊技者が画像表示装置７に表示される画像を見ながら、コントロール部６等を操作することにより、展開されるゲームを進行させることができる。
また、各ステーション４が設置された筐体３の側面には、メダル払出口８がそれぞれ設けられている。更に、各ステーション４の画像表示装置７の右上には音楽、効果音等を流すスピーカ９が設けられている。
【００１４】
そして、メダル投入口５の内部にはメダルセンサ（図示せず）が設けられており、メダル投入口５より投入されたメダル等の遊技媒体の識別を行うとともに、投入されたメダルをカウントする。また、メダル払出口８の内部にはホッパー（図示せず）が設けられており、所定枚数のメダルをメダル払出口８から払い出す。
【００１５】
また、筐体３の角に位置するコーナー部１１１の内部には後述のサーバ１０が配置されている。ここで、サーバ１０は遊技者によって操作されることのないように、通常はコーナー部１１１の内部に収納されているが、キースイッチを使用してコーナー部１１１に設けられたコーナー扉１１２を開放することによって、サーバ１０の操作が可能となる。そして、サーバ１０を操作することによって、ルーレットゲーム機１の各種設定やメンテナンスを行うことが可能となる。
【００１６】
また、電光表示部７７には各ステーション４で遊技を行う遊技者がベットしたクレジットの所定割合（例えば、０．５％）を累積記憶したジャックポット（以下、ＪＰと略記する）の額を表示するＪＰ額表示部７８が設けられている。このＪＰ額表示部７８は電光表示部７７の頂上部に設けられており、ステーション４で遊技する全ての遊技者からその表示内容が認視可能となっている。
【００１７】
先ず、本実施形態に係るルーレット装置２の構成について図２を用いて説明する。図２は本実施形態に係るルーレット装置を示す斜視図である。
【００１８】
図２に示すように、本実施形態に係るルーレット装置２は、ゲーム中にボール１１が転動する転動領域を有するルーレット盤１２と、ルーレット盤１２をルーレットゲーム機１内部で支持する支持台１３と、周囲の空気を取り込むとともに所定圧力に圧縮するコンプレッサ１４と、コンプレッサ１４により圧縮した空気を送るエアチューブ１５、１６と、各エアチューブ１５、１６の中間点にそれぞれ設けられエアチューブ１５、１６を流れる空気の圧力を調整する第１開閉弁１７、第２開閉弁１８とから基本的に構成されている。
【００１９】
また、ルーレット盤１２は、外周に形成された第１抽選エリア１０１と、第１抽選エリア１０１の内周で第１抽選エリア１０１と独立して設けられた第２抽選エリア１０２の２つの抽選エリアから基本的に構成されている。そして、本実施形態に係るルーレットゲーム機１では、第１抽選エリア１０１を用いて通常ゲームを行い、所定の条件を満たした場合には通常ゲームに続いて第２抽選エリア１０２を用いたボーナスゲームを行う。
【００２０】
先ず、第１抽選エリア１０１について説明すると、第１抽選エリア１０１は支持台１３に固定される枠体２１と、枠体２１の内側に固定支持された中央固定部２２と、中央固定部２２の周囲に設けられた円環形状の回転可動部２０と、から基本的に構成されている。
そして、回転可動部２０上面には凹状のボール収納部２３が周方向に多数（本実施形態では３８個）形成されている。ボール収納部２３は、略三角形状の仕切壁２３Ａ（図６参照）によって仕切られ、更に、各ボール収納部２３の外方向における回転可動部２０の上面には、各ボール収納部２３と対応するように図形文字としての「０」、「００」、「１」〜「３６」の各数字が表示された番号表示板２４が形成されている。また、ボール収納部２３と番号表示板２４との間には各ボール収納部２３に対応してシャッタ３２が設けられている。ここで、シャッタ３２は後述するように所定のタイミングで上下動し（図７（Ａ）及び（Ｂ）参照）、第１抽選エリア１０１のボール収納部２３に収納されたボール１１を第２抽選エリア１０２へと搬送する。尚、ルーレット盤１２の詳細については後述する。
【００２１】
次に、第２抽選エリア１０２について説明すると、第２抽選エリア１０２は中央固定部２２の中央付近にすり鉢状に形成された転動領域１０３と、転動領域１０３の中央付近において計８箇所に形成された特別ボール収納部１０４と、隣接する各特別ボール収納部１０４の間を仕切る隣接壁１０５によって構成されている。
また、各特別ボール収納部１０４の外側方向には、各特別ボール収納部１０４と対応してボーナスゲームの配当内容を示す「ＪＰ（ジャックポット）」、「×２」、「×３」、「＋５００」の各文字が表示された配当表示板１０６が形成されている。そして、ボーナスゲームで第１抽選エリア１０１から搬送されたボール１１がいずれかの特別ボール収納部１０４に収納された際には、収納された特別ボール収納部１０４に対応する配当が遊技者に対して付与される。
【００２２】
ここで、遊技者に対して付与される配当としては、「ＪＰ」の配当表示板１０６が形成された特別ボール収納部１０４にボール１１が収納された場合には累積されたＪＰの額に相当するクレジットが払い出される。また、「×２」の配当表示板１０６が形成された特別ボール収納部１０４にボール１１が収納された場合には直前の通常ゲームにおいて遊技者へ払い出すクレジット数を倍にして払い出す。また、「×３」の配当表示板１０６が形成された特別ボール収納部１０４にボール１１が収納された場合には直前の通常ゲームにおいて遊技者へ払い出すクレジット数を３倍にして払い出す。また、「＋５００」の配当表示板１０６が形成された特別ボール収納部１０４にボール１１が収納された場合には通常ゲームの配当とは別に５００クレジットが払い出される。そして、それ以外の特別ボール収納部１０４に収納された場合はハズレとなり、ボーナスゲームについての配当は付与されない。
【００２３】
また、支持台１３は金属製の柱を複数本組み合わせることにより形成された略長方形状を有する台であり、上面の角部に計４箇所設けられた固定具４１よりルーレット盤１２を所定の高さに固定している。
【００２４】
また、コンプレッサ１４は、支持台１３に形成された内部空間に配置され、周囲の空気を取り込むとともに取り込んだ空気を所定圧力（本実施形態では１Ｍｐａ）に圧縮する装置である。また、本実施形態に係るコンプレッサ１４は、圧縮した空気を吐出する吐出ノズル４２を備えており、吐出ノズル４２にはエアチューブ１５及びエアチューブ１６が接続されている。
【００２５】
エアチューブ１５は、コンプレッサ１４により圧縮された空気をルーレット盤１２の中央固定部２２に形成された固定吐出口３３へと搬送する為のチューブであり、その中間点には第１開閉弁１７が設けられている。また、エアチューブ１６は、コンプレッサ１４により圧縮された空気をルーレット盤１２に形成された回転吐出口３６へと搬送する為のチューブであり、その中間点には第２開閉弁１８が設けられている。
【００２６】
また、第１開閉弁１７及び第２開閉弁１８は、電磁バルブであって、開弁時間を調整することができる構造のものである。また、第１開閉弁１７及び第２開閉弁１８はルーレットゲーム機１全体の制御を行うサーバ１０のサーバ制御用ＣＰＵ８０に接続されており（図１２参照）、サーバ制御用ＣＰＵ８０はＲＯＭ８１に予め記憶されたプログラムに従って後述のように開閉時間を制御する。それにより、固定吐出口３３及び回転吐出口３６から吐出される空気圧を調整し、ルーレット盤１２上において、ボール１１を転動させ、所定時間経過後にボール収納部２３に収納させる一連の動作を行う。
【００２７】
また、ルーレット装置２がルーレットゲーム機１に設置される際には、ルーレット盤１２の上方全体が半球状の透明アクリル製のカバー部材２５により覆われる（図１参照）。それにより、ゲームの際にルーレット盤１２上を転動するボール１１がルーレット盤１２より外へ飛び出さないように保持することができる。また、異物等がルーレット盤１２内に侵入することを防止し、不正行為等が行われないようにする。
【００２８】
続いて、本実施形態に係るルーレット盤１２について図３乃至図５を用いて詳細に説明する。図３は本実施形態に係るルーレット装置２を示す平面図、図４は図３の線Ａ−Ａでルーレット装置を切断した矢視断面図、図５は図４の特にボール収納部２３付近を拡大して示した模式図である。
【００２９】
ここで、ルーレット盤１２は、前記したように支持台１３に固定される枠体２１と、枠体２１の内側に固定支持されるとともに中央部に第２抽選エリア１０２を有する中央固定部２２と、中央固定部２２の周囲に設けられた円環形状の回転可動部２０と、から基本的に構成されている。そして、図４に示すように回転可動部２０は中央固定部２２に対してクロスボールベアリング２６を介して回転可能に支持されており、ルーレット装置２内部に設けられた駆動モータ３４によって、ボール１１の発射準備開始時からボール１１がボール収納部２３に収納されて所定時間経過するまでの間、枠体２１に対して所定方向（例えば反時計回り方向）に所定速度（例えば５．００５ｒｐｍや１６．６８３ｒｐｍ）で回転される。
また、特にベット期間終了後においてボール１１を発射する際やボーナスゲームを開始する際には、現在ボール１１が収納されたボール収納部２３が、中央固定部２２に固定された固定吐出口３３の正面位置にくるように回転可動部２０を回転させる。一方、ボール転動終了後においてボール１１が収納されたボール収納部２３を検出する際には、現在ボール１１が収納されたボール収納部２３が、中央固定部２２に固定された後述のボール検出センサ４４の正面を通過するように回転可動部２０を回転させる。尚、回転可動部２０の具体的な回転駆動機構及び回転動作に関しては後に詳細に説明する。
【００３０】
また、枠体２１の外周縁部にはバンク通路２９が周設されている。バンク通路２９は、ルーレット盤１２において転動するボール１１の遠心力に抗してガイドし、ボール１１を円周軌道を描いて転動させる通路である。また、バンク通路２９は垂直方向に立設された案内壁３０によって、ルーレット盤１２に対して無端状に形成されており、更に、その外周部にあたる上端にはバンク通路２９と連続して壁部３１が形成されている。壁部３１は、バンク通路２９上を回転運動するボール１１がルーレット盤１２より外へと飛び出さないように内側に付勢する部材である。
【００３１】
そして、第１抽選エリア１０１を用いた通常ゲームが開始されると、固定吐出口３３から吐出された空気によって転動が開始され、回転吐出口３６より吐出された空気によって周方向に加速力を付与されたボール１１は、徐々にスピードを上昇させバンク通路２９に沿って回転運動する。一方、回転吐出口３６からの空気の吐出が停止されると、ボール１１は回転速度が弱まり遠心力を失い、傾斜面２８を転がり落ちてルーレット盤１２の内側へと向かい、回転する回転可動部２０に至る。
そして、回転可動部２０に転がって来たボール１１は、回転する回転可動部２０の番号表示板２４上を通っていずれかのボール収納部２３に納まり、ボール１１が収容されたボール収納部２３に対応する番号表示板２４に記載された数字が当選番号となる。
【００３２】
また、図５に示すようにボール収納部２３の傾斜面２８に対する深さＬは、ボール１１の直径Ｄよりも浅くなるように形成されている。前記したように、ボール収納部２３は仕切壁２３Ａによって周方向に計３８個に仕切られたボール１１を収納する空間である。そして、ボール収納部２３の深さＬはボール１１の直径Ｄより浅くなるように構成されているので、図５に示すように、ボール１１がボール収納部２３に収納された際に、ボール収納部２３内にボール１１が埋没されてしまう虞がなく、ゲーム中にボール収納部２３内に収納されたボール１１の位置を遊技者が容易に確認することが可能である。従って、遊技性が向上する。
また、ボール収納部２３とバンク通路２９とは、ボール収納部２３よりバンク通路２９へと所定の傾斜角度で上昇する一の傾斜面２８により連続して形成されているので、遊技者はボール収納部２３に収納されたボール１１の確認が容易となる。
【００３３】
次に、ルーレット盤１２において計３８個の各ボール収納部２３に対応して設けられたシャッタ３２について図５及び図６を用いて説明する。図６は本実施形態に係るルーレット装置２のボール収納部２３付近を拡大して示した斜視図である。
【００３４】
図６に示すようにシャッタ３２は、ボール収納部２３と番号表示板２４との間で昇降可能に設置され、ボール１１の進行方向を傾斜面２８と平行な方向から上方向へと変更する曲面１０７Ａを有する傾斜壁１０７と、傾斜壁１０７を上下方向に駆動させるソレノイド１０８と、傾斜壁１０７の下端に接続されソレノイド１０８の駆動に従って上下動する支持棒１０９とから構成されている。
【００３５】
ここで、ソレノイド１０８の内部にはコイル（図示せず）を備えており、コイルに電流を流すことによって発生した磁場に基づいて支持棒１０９が上方向へと移動し、傾斜壁１０７を傾斜面２８より所定高さまで上へと押し出す。一方、ソレノイド１０８への電力供給が停止されると、ソレノイド１０８内に設けられたスプリング（図示せず）が支持棒１０９を下方向へと押圧することにより、支持棒１０９を下方向へと移動させ、傾斜壁１０７を傾斜面２８より下へと収納する。
【００３６】
そして、本実施形態に係るルーレット装置２では、通常ゲームでＢＥＴ画面６１（図１１参照）を用いて「ストレート・アップ」により２０クレジット以上ベットされた番号が当選した場合に、ボール１１の収納されたボール収納部２３のシャッタ３２を上昇させる。そして、シャッタ３２を上昇させた状態でボール収納部２３に収納されたボール１１を固定吐出口３３からの空気圧でバンク通路２９方向に発射すると、ボール１１は曲面１０７Ａに沿って進行方向を変更して上方へと投げ出され、その結果、第２抽選エリア１０２へと搬送される（図７（Ｂ）参照）。
例えば、図６では番号「２１」に遊技者が２０クレジット以上ベットし、且つ番号「２１」が当選した場合を示しており、番号「２１」に対応するボール収納部２３の前に設けられたシャッタ３２のソレノイド１０８に電力を供給することにより、シャッタ３２が上昇する。その状態で固定吐出口３３から空気を吐出することによって、ボール収納部２３に収納されたボール１１を第２抽選エリア１０２へと搬送することが可能となる。
【００３７】
ここで、図７（Ａ）はボール収納部２３へと転動するボール１１の転動態様を説明した説明図、図７（Ｂ）はシャッタ３２によって第１抽選エリア１０１から第２抽選エリア１０２へと搬送されるボール１１の動きを説明した説明図である。
図７（Ａ）に示すように第１抽選エリア１０１を用いた通常ゲームでは、ボール１１はバンク通路２９に沿ってルーレット盤１２を所定時間転動した後に、バンク通路２９から傾斜面２８を転がり落ちて、ボール収納部２３へと導かれる。
その後、ボール１１の収納されたボール収納部２３が、特に２０クレジット以上ベットされた番号に対応するボール収納部２３であった場合には、図７（Ｂ）に示すようにシャッタ３２を上昇させ、更に回転可動部２０を回転させることにより固定吐出口３３をボール１１が収納されたボール収納部２３の正面に移動させる。そして、固定吐出口３３から空気を吐出することにより、ボール１１は傾斜壁１０７で進行方向を上方へと変えて第２抽選エリア１０２へと導かれる。
【００３８】
次に、ルーレット盤１２の中央固定部２２に設けられた固定吐出口３３について図３乃至図６を用いて説明する。ここで、本実施形態に係るルーレット装置２は、遊技中において回転駆動されない中央固定部２２にコンプレッサ１４からの圧縮空気を吐出する固定吐出口３３が設けられている。
【００３９】
固定吐出口３３は、図３及び図４に示すように中央固定部２２の特に回転可動部２０に対向する外周縁に固定板２７によって固定支持されている。そして、ルーレット装置２の下方に設けられたコンプレッサ１４によって、所定圧力（例えば、１Ｍｐａ）に圧縮した空気をエアチューブ１５を通してルーレット盤１２へと搬送する。
一方、各ボール収納部２３を仕切壁２３Ａとともに形成する内側壁３７には、円形状に形成された空気通過孔３５が形成されている。本実施形態では「０」、「００」、「１」〜「３６」の各数字に対応した３８個のボール収納部２３が形成されており、従って空気通過孔３５は計３８箇所に形成されている。そして、固定吐出口３３の正面に位置するボール収納部２３（図３では番号「２９」のボール収納部）は、固定吐出口３３より吐出された空気が空気通過孔３５及びボール収納部２３を介してルーレット盤１２の外周縁部に設けられたバンク通路２９に向かって放射される。そして、吐出された空気の空気圧によって、ボール収納部２３内に収納されているボール１１は、傾斜面２８の傾斜に抗してバンク通路２９方向へと転動を開始する。
【００４０】
続いて、ルーレット盤１２においてボール１１を転動させる転動手段の一つである回転吐出口３６について図８を用いて説明する。図８は本実施形態に係るルーレット装置２のバンク通路２９付近を拡大して示した斜視図である。ここで、本実施形態に係るルーレット装置２は、前記固定吐出口３３によって打ち出されたボール１１をルーレット盤１２上で転動させる際に、その動力源として圧縮された空気の空気圧を用いる。
【００４１】
回転吐出口３６は、図８に示すようにバンク通路２９を構成する案内壁３０に所定間隔（本実施形態では４５度間隔）に形成されている。また、回転吐出口３６は、バンク通路２９の周方向、即ち、ルーレット盤１２の接線方向に向けて形成されており、それぞれの回転吐出口３６より吐出された空気はルーレット盤１２のバンク通路２９に沿って時計回り方向に流れる空気の層を作り出す（図１９参照）。
【００４２】
一方、回転吐出口３６が形成された案内壁３０の裏側面には円環状の回転用エアパイプ３９が設置されている。回転用エアパイプ３９は、エアチューブ１６と接続されており、エアチューブ１６から搬送された空気が回転用エアパイプ３９内に流入され、８箇所に設けられた回転吐出口３６より一斉に吐出される。それによって、前記ボール打出装置４３より打ち出されてバンク通路２９へと転動したボール１１は、バンク通路２９に沿って環状に流れる空気の層により時計回り方向に転動を開始する。
また、回転吐出口３６からの空気の吐出を停止させると、バンク通路２９に沿って形成されていた空気の層は消滅し、ボール１１は回転速度が徐々に弱まり遠心力を失う。その後、傾斜面２８の傾斜に沿って転がり落ちてルーレット盤１２の内側へと向かい、回転する回転可動部２０に至る。そして、回転可動部２０に形成されたボール収納部２３のいずれかに収納される。それにより、ルーレット装置２による当選番号の決定がなされ、ルーレットゲーム機１は決定された番号と、遊技者がベットしたベット情報に基づいて、メダルの払い出しを行って当該通常ゲームを終了する。
更に、ボーナスゲームに移行しない場合にはその後に再び固定吐出口３３より空気を吐出させると、ボール収納部２３内に収納されたボール１１は再び転動を開始し、次回の通常ゲームをボール１１を回収することなく連続して行うことが可能となる。
【００４３】
以上より、本実施形態に係るルーレット装置２では、ボール１１をルーレット盤１２より回収することなく、固定吐出口３３及び回転吐出口３６より吐出する空気の空気圧によってボール１１に力を付加し、転動とボール収納部２３への収納とを繰り返し行うことが可能となる。従って、ボール１１を回収する為の可動部等や発射装置等の複雑な機構を必要とすることなく、メンテナンス作業が容易となるとともに装置のコストダウンが可能である。
また、ボール１１を回収する為の可動部等や発射装置等の複雑な機構を必要としないので、ボール収納部２３の深さＬをボール１１の直径Ｄより浅くすることができる（図５参照）。それにより、図４に示すように、ルーレット盤１２の高さｈを低くすることが可能となる。従って、ボール１１を確認する為のルーレット装置２の視野角αを広くすることが可能であり、遊技者のボールの確認作業が容易となり、遊技性が向上する。
更に、ボール収納部２３とバンク通路２９とは、ボール収納部２３よりバンク通路２９へと所定の傾斜角度で上昇する一の傾斜面２８により連続して形成されているので、遊技者はボール収納部２３に収納されたボール１１の確認が容易となる。
【００４４】
次に、ルーレット盤１２の中央固定部２２に設けられたボール検出センサ４４等の各種センサについて図３及び図９を用いて説明する。図９は図３の線Ｂ−Ｂでルーレット装置を切断した矢視断面図である。
ここで、本実施形態に係るルーレット装置２は、遊技中において回転駆動されない中央固定部２２に対して、固定吐出口３３とともに、ボール１１が収納されたボール収納部２３を検出するボール検出センサ４４が設けられている。
【００４５】
ボール検出センサ４４は、図３及び図９に示すように中央固定部２２の特に回転可動部２０に対向する外周縁に固定板２７によって固定支持されている。ここで、ボール検出センサ４４は、反射型の光センサであり、赤外線を発光する発光素子と受光する受光素子とから構成されている。そして、所定距離内に障害物が存在する場合に、その存在と位置とをそれぞれ検出することが可能となっている。従って、ボール検出センサ４４の正面に位置するボール収納部２３内の所定位置（例えば、距離３ｃｍの位置）に収納されたボール１１を空気通過孔３５を介して検知することができる。尚、ボール検出センサ４４は透過型の光センサでも良く、その際には中央固定部２２に受光素子を設置し、且つその対向するバンク通路２９の位置に発光素子を設置する。それによって、発光素子と受光素子の間に位置するボール収納部２３にボール１１が存在する場合にそれを検知することが可能となる。
【００４６】
また、中央固定部２２には、ボール検出センサ４４の他に、原点センサ５７及び回転センサ５８が設けられている。ここで、原点センサ５７及び回転センサ５８は、ボール検出センサ４４及び固定吐出口３３と同様に、回転可動部２０に対向する外周縁に固定板２７によって固定支持されている。
【００４７】
原点センサ５７は、原点センサ５７の正面に位置するボール収納部２３が、原点（基準点）に対して相対的にどの位置にあるボール収納部２３なのかを検出するセンサである。また、回転センサ５８は、回転可動部２０が回転しているか否かを検出するセンサである。
具体的には、原点センサ５７は、回転センサ５８によって回転可動部２０が回転していることを検出している間において、各ボール収納部２３の内側壁３７の裏側（原点センサ５７に対向する側）に対して付設された凹凸形状を有する識別プレート（図示せず）の凹凸を検知することによって、現在原点センサ５７の正面に位置するボール収納部２３が、原点である「０」に対応付けられたボール収納部２３に対して相対的にどの位置にあるのかを常時検出する。例えば、図３に示す時点では原点センサ５７の正面に位置するボール収納部２３（「３５」が対応付けられたボール収納部）が、「０」に対応付けられたボール収納部２３から右方向に３６番目に位置するボール収納部２３であることを検出する。
【００４８】
従って、原点センサ５７によれば、前記ボール検出センサ４４によってボール１１が検出されたタイミングにおいて、原点センサ５７の正面に位置するボール収納部２３が「０」に対応付けられたボール収納部２３から相対的にどの位置にあるのかを検出することが可能となる。そして、その検出結果に基づいてボール検出センサ４４によってボール１１が検出されたボール収納部２３が「０」に対応付けられたボール収納部２３から相対的にどの位置にあるのかを算出することが可能となる。それにより、ボール１１が検出されたボール収納部２３に対応付けられた番号（「０」、「００」、「１」〜「３６」）、即ち当選番号を特定することができる（図１５のＳ１９）。尚、原点（基準点）は「０」に対応付けられたボール収納部２３である必要はなく、他のボール収納部２３であっても良い。
【００４９】
また、遊技開始時にボール１１を発射する際又はボーナスゲーム開始時に第２抽選エリア１０２へとボール１１を搬送する際においては、前回の通常ゲームの当選番号と、原点センサ５７の正面に位置するボール収納部２３が「０」に対応付けられたボール収納部２３から相対的にどの位置にあるのかの検出結果とに基づいて、ボール１１が収納されているボール収納部２３が固定吐出口３３の正面の位置にあるか否かを判定することが可能となる。そして、判定結果に基づいて駆動モータ３４を制御することにより、固定吐出口３３の正面（固定吐出口３３によりボール１１が打ち出し可能な位置）にボール１１が収納されたボール収納部２３を位置させ、ボール１１の発射が可能となる（図１５のＳ５〜Ｓ７）。
【００５０】
以上より、本実施形態に係るルーレットゲーム機１では、ボール１１がボール収納部２３に収納された後に、回転可動部２０を少なくとも１／３周以上回転させることによって、全てのボール収納部２３の前をいずれかのボール検出センサ４４が通過することとなる。そして、ボール１１が検出されたタイミングでの原点センサ５７の検出結果が後述のサーバ制御用ＣＰＵ８０（図１２参照）に送信される。その結果に基づき、サーバ制御用ＣＰＵ８０は当選番号の判定を行う。
また、ボール発射時においては、固定吐出口３３の正面位置（固定吐出口３３によりボール１１が打ち出し可能な位置）に前回の通常ゲームにおける当選番号のボール収納部２３が位置するように後述の駆動モータ３４を制御し、第１開閉弁１７を開放することによりボール収納部２３からのボール１１の発射が可能となる。
【００５１】
次に、ルーレット盤１２の中央固定部２２に対する回転可動部２０の回転駆動機構について図４及び図１０を用いて説明する。ここで、図１０は本実施形態に係るルーレット装置２において、中央固定部２２に対して回転可動部２０を回転可能に支持するクロスボールベアリング２６を所定位置で切断して示した模式図である。
【００５２】
図４に示すように、枠体２１の底面板２１Ａには駆動モータ３４が固定されている。ここで、駆動モータ３４は、パルス信号を与えることでフィードバック無しに決められたステップ単位で回転可能なステッピングモータである。従って、駆動モータ３４に与えるパルス信号の回数と周期によってその回転角度と回転速度が決定され、更に、パルス信号の停止によりその時点での回転角を保持して停止する。
【００５３】
また、駆動モータ３４には駆動軸４６を介して駆動ローラ４７が取り付けられており、更に駆動ローラ４７は回転可動部２０の側面２０Ａに当接されている。従って、駆動モータ３４が駆動されると、その回転に伴って駆動ローラ４７も回転し、更に駆動ローラ４７との摩擦によって回転可動部２０が中央固定部２２に対して回転することとなる。また、駆動ローラ４７は「コ」の字形状を有するローラケース４８内に収納されており、更にローラケース４８は駆動ローラ４７の外周側に設けられた付勢部材４９によって側面２０Ａ方向に一定の力で付勢されている。従って、駆動ローラ４７と回転可動部２０の側面２０Ａとは常に適度の圧力に基づいて当接された状態となり、駆動ローラ４７に必要以上の負荷がかかったり、空転する虞が無い。
【００５４】
また、図４及び図１０に示すように中央固定部２２の固定側内壁部５０と、固定側内壁部５０に対向する回転可動部２０の可動側内壁部５１とはクロスボールベアリング２６によって接続されている。
【００５５】
ここで、クロスボールベアリング２６は、断面略四角形状を有する円環状の部材であり、図１０に示すように、その４つの各面にはベアリング５２が３０〜４０箇所にそれぞれ取り付けられている。それにより、枠体２１に固定された固定側内壁部５０に対して可動側内壁部５１が自在に可動することが可能となり、中央固定部２２に対して回転可動部２０が回転可能に支持されることとなる。
【００５６】
従って、パルス信号により駆動された駆動モータ３４の回転方向と回転角度とに基づいて、回転可動部２０を中央固定部２２に対して所定角度回転させることが可能となり、それに伴ってボール打出装置４３及びボール検出センサ４４の正面に位置するボール収納部２３を任意のボール収納部２３に変更する。それにより、ボール１１が収納されたボール収納部２３の検出、並びに収納されているボール１１の発射が可能となる。また、駆動モータ３４は、モータ駆動回路５５を介してサーバ制御用ＣＰＵ８０に接続されており（図１２参照）、ＲＯＭ等に記憶されたプログラムに基づいて後述のようにその駆動が制御される（図１４参照）。
【００５７】
次に、本実施形態に係るコントロール部６及び画像表示装置７の構成について説明する。
コントロール部６は、図１に示すように画像表示装置７の側部に設けられ、遊技者により操作される各ボタンが配置されている。具体的には、ステーション４に対向する位置から見て左側からＢＥＴ確定ボタン６２、払い戻し（ＣＡＳＨＯＵＴ）ボタン６３、ヘルプ（ＨＥＬＰ）ボタン６４が配置されている。
【００５８】
ＢＥＴ確定ボタン６２は、後述する画像表示装置７によるベット操作の後にベットを確定する際に押下されるボタンである。そして、ベットが確定され、且つ、遊技中に前記ルーレット装置２においてボール１１が納まったボール収納部２３に対応する番号表示板２４に記載された番号にベットしていた場合に当選となる。当選した場合には、ベットしたチップの枚数に応じたクレジットが、遊技者の現在所有するクレジットに加算される。尚、ベット操作については後に詳細に説明する。
【００５９】
払い戻しボタン６３は、通常、ゲーム終了時に押下されるボタンであり、払い戻しボタン６３が押下されると、ゲーム等によって獲得した現在遊技者が所有するクレジットに応じたメダル（通常は１クレジットに対してメダル１枚）がメダル払出口８から払い戻される。
【００６０】
ヘルプボタン６４は、ゲームの操作方法等が不明な場合に押下されるボタンであり、ヘルプボタン６４が押下されると、その直後に画像表示装置７上に各種の操作情報を示したヘルプ画面が表示される。
【００６１】
一方、画像表示装置７はタッチパネル５３が前面に取り付けられた所謂タッチパネル方式の液晶ディスプレイであり、液晶画面上に表示されたアイコンを指等で押圧することによりその選択が可能となっている。図１１は遊技中に画像表示装置に表示される表示画面の一例を示した図である。
【００６２】
図１１に示すように、ルーレットゲーム機１の遊技中において画像表示装置７には、テーブル式ベッティングボード６０を有するＢＥＴ画面６１が表示される。そして、遊技者はＢＥＴ画面６１を操作することによって、手持ちのクレジットを使用してチップをベットすることができる。
【００６３】
以下に、図１１に基づいてＢＥＴ画面６１について説明する。ＢＥＴ画面６１に表示されるテーブル式ベッティングボード６０には、前記番号表示板２４に表示された数字「０」、「００」、「１」〜「３６」と同じ数字がマス目状に配列表示されている。また、「奇数の数字」、「偶数の数字」、「番号表示板の色の種類（赤又は黒）」、「一定の数字範囲（例えば「１」〜「１２」等）」を指定してチップをベットする為の特殊なＢＥＴエリアも同様にマス目状に配列されている。
【００６４】
そして、テーブル式ベッティングボード６０の下方には画面左から順に、結果履歴表示部６５、単位ＢＥＴボタン６６、払い戻し結果表示部６７、クレジット数表示部６８が表示されている。
【００６５】
結果履歴表示部６５は、前回までのゲーム（ここで、１ゲームは、各ステーション４において遊技者がベットを行い、ボール１１がボール収納部２３に落下し、当選番号に基づいてクレジットの払い出しが行われるまでの一連の動作をいう。）における当選番号の結果が一覧に表示される。その際、１ゲームが終了すると、新たな当選番号が上から追加して表示されていき、最大１６ゲームの当選番号の履歴を確認することが可能となっている。
【００６６】
また、単位ＢＥＴボタン６６は、遊技者が指定したＢＥＴエリア（番号及びのマークのマス目上、若しくはマス目を形成するライン上）にベットする為のボタンである。単位ＢＥＴボタンは１ＢＥＴボタン６６Ａ、５ＢＥＴボタン６６Ｂ、１０ＢＥＴボタン６６Ｃ、１００ＢＥＴボタン６６Ｄの四種類からなる。
遊技者は、先ず、ベットするＢＥＴエリアを指等で画面を直接押すことにより、後述のカーソル７０でＢＥＴエリアを指定する。その状態で、１ＢＥＴボタン６６Ａを押下すると、遊技者はチップを１枚毎（１ＢＥＴボタン６６Ａを指等で押す毎に「１」→「２」→「３」→・・・の順にベット枚数が増加）にベットする。一方、１０ＢＥＴボタン６６Ｃを押下すると、チップを１０枚単位（１０ＢＥＴボタン６６Ｃを指等で押す毎に「１０」→「２０」→「３０」→・・・の順にベット枚数が増加）でベットすることが可能である。尚、５ＢＥＴボタン６６Ｂ、１００ＢＥＴボタン６６Ｄの操作も同様である。従って、多量のチップをベットする際にも、その操作を簡略化することができる。
【００６７】
また、払い戻し結果表示部６７は、前回のゲームにおける遊技者のチップのベット枚数、及び払い戻しのクレジット数が表示される。ここで、払い戻しクレジット数よりベット枚数を引いた数が、前回のゲームにより遊技者が新たに獲得したクレジット数である。
【００６８】
更に、クレジット数表示部６８は、現在の遊技者が所有するクレジット数が表示される。このクレジット数は、チップをベットした際にはそのベット枚数（チップ一枚につき１クレジット）に応じて減少する。また、ベットした番号が当選し、クレジットの払い戻しがなされた場合には、払い戻し枚数分のクレジット数が増加する。尚、遊技者が所有するクレジット数が０となった場合には、遊技終了となる。
【００６９】
そして、テーブル式ベッティングボード６０の上部には、ＢＥＴタイマーグラフ６９が設けられている。ＢＥＴタイマーグラフ６９は遊技者がベットすることが可能な残り時間を表示するグラフであり、ゲーム開始時より赤いグラフが徐々に右側に延び始める。そして、最も右側まで延びたときに現在のゲームにおけるベット可能な時間が終了する。また、各ステーション４において遊技者のベット期間が終了する５秒前、即ち、ＢＥＴタイマーグラフ６９が最も右側まで達する５秒前に前記固定吐出口３３によってボール収納部２３内のボール１１を打ち出し、ボール１１の転動を開始させる。
【００７０】
また、テーブル式ベッティングボード６０上には、現在遊技者が選択しているＢＥＴエリアを示すカーソル７０が表示される、また、現時点までにおいてベットしたチップの枚数とＢＥＴエリアを示すチップマーク７１が表示され、チップマーク７１上に表示された数字が、チップのベット枚数を示す。例えば、図１１に示すように「１８」のマスに置かれた「７」のチップマーク７１は、番号「１８」に７枚のチップをベットしていることを示している。このように１つ番号のみにベットする方法は「ストレート・アップ」と呼ばれるベット方法である。
また、「５」、「６」、「８」、「９」のマス目の交点に置かれた「１」のチップマーク７１は、番号「５」、「６」、「８」、「９」の４つの番号をカバーして１枚のチップをベットしていることを示している。尚、このように４つ番号をカバーしてベットする方法は「コーナー・ベット」と呼ばれるベット方法である。
【００７１】
他にベット方法としては、２つの番号の間のライン上に２つの番号をカバーしてベットする「スプリット・ベット」、番号の横一列（図１１中、縦方向の一列）の端に３つの番号（例えば、「１３」、「１４」、「１５」）をカバーしてベットする「ストリート・ベット」、番号「００」と「３」の間のライン上に「０」、「００」、「１」、「２」、「３」の５つの番号をカバーしてベットする「ファイブ・ベット」、番号の横二列（図１１中、縦方向の二列）の番号の間に６つの番号（例えば、「１３」、「１４」、「１５」、「１６」、「１７」、「１８」）をカバーしてベットする「ライン・ベット」、「２ｔｏ１」と書かれたマス目上で１２個の番号をカバーしてベットする「コラム・ベット」、「１ｓｔ１２」、「２ｎｄ１２」、「３ｒｄ１２」と書かれたマス目上でそれぞれ１２個の番号をカバーしてベットする「ダズン・ベット」がある。更に、テーブル式ベッティングボード６０の最下段に設けられた６つのマス目を用いて、番号表示板の色（「赤」又は「黒」）、番号の奇数偶数、番号が１８以下か１９以上かによって１８個の番号をカバーしてベットする方法がある。
【００７２】
前記のように構成されたＢＥＴ画面６１で遊技者がベットする際には、先ず、ベットを行うＢＥＴエリア（番号及びのマークのマス目上、若しくはマス目を形成するライン上）を画面上で指定して直接指により押圧する。その結果、カーソル７０が指定したＢＥＴエリアに移動する。
その後、単位ＢＥＴボタン６６の各単位ボタン（１ＢＥＴボタン６６Ａ、５ＢＥＴボタン６６Ｂ、１０ＢＥＴボタン６６Ｃ、１００ＢＥＴボタン６６Ｄ）を押下することにより、その単位数分のメダルが指定されたＢＥＴエリアにベットされる。例えば、１０ＢＥＴボタン６６Ｃを４回、５ＢＥＴボタン６６Ｂを１回、１ＢＥＴボタン６６Ａを３回押下すれば、合計４８枚のメダルをベットすることができる。
【００７３】
そして、後述するようにＢＥＴ画面６１で遊技者が２０クレジット以上ベットした番号（本実施形態では「ストレート・アップ」でベットした番号のみ）が当選した場合には、第２抽選エリア１０２へとボール１１が搬送されてボーナスゲームが開始される。
【００７４】
次に、本実施形態に係るルーレットゲーム機１の制御系に係る構成について図１２に基づき説明する。図１２はルーレットゲーム機の制御系を模式的に示すブロック図である。
図１２に示すように、ルーレットゲーム機１は、サーバ制御用ＣＰＵ８０、ＲＯＭ８１、及びＲＡＭ８２を含むサーバ１０と、サーバ１０に接続されたルーレット装置２、及び１２台のステーション４（図１参照）と、駆動モータ３４と、第１開閉弁１７及び第２開閉弁１８とから構成されている。尚、ステーション４の制御系に関しては後に詳細に説明する。
【００７５】
サーバ制御用ＣＰＵ８０は、各ステーション４から供給される入力信号等、並びに、ＲＯＭ８１、及びＲＡＭ８２に記憶されたデータやプログラムに基づいて、各種の処理を行い、その結果に基づいてステーション４に命令信号を送信することにより、各ステーション４を主導的に制御し、遊技を進行させる。更に、駆動モータ３４を駆動させるとともに、ルーレット装置２に設けられたボール検出センサ４４（図９参照）を制御し、ボール１１が落下したボール収納部２３の当選番号の判定を行う。そして、得られた当選番号と、各ステーション４から送信されたベット情報とに基づいて、ベットされたチップの当選判定を行い、各ステーション４において払い出されるクレジット数を計算する。
【００７６】
ＲＯＭ８１は、例えば、半導体メモリ等により構成され、ルーレットゲーム機１の基本的な機能を実現させるためのプログラムや、ルーレット装置２内の各装置、第１開閉弁１７及び第２開閉弁１８を制御するプログラム、ＢＥＴ画面６１を用いた通常のルーレットゲームに対するオッズ（チップ一枚あたりの当選に対するクレジットの払い出し数）、各ステーション４を主導的に制御するためのプログラム等を記憶する。
【００７７】
一方、ＲＡＭ８２は、各ステーション４から供給されるチップのベット情報、ボール検出センサ４４により判定されたルーレット装置２の当選番号、及びサーバ制御用ＣＰＵ８０により実行された処理の結果に関するデータ等を一時的に記憶する。
【００７８】
また、サーバ制御用ＣＰＵ８０には、エアチューブ１５、１６内の空気圧の調整を行う第１開閉弁１７及び第２開閉弁１８が接続されている。そして、第１開閉弁１７を開くことによって、ボール収納部２３に設けられた固定吐出口３３より、コンプレッサ１４（図２参照）で圧縮された空気を吐出させる。また、第２開閉弁１８を開くことによって、バンク通路２９に設けられた回転吐出口３６よりコンプレッサ１４で圧縮された空気を吐出させる。
【００７９】
また、サーバ制御用ＣＰＵ８０には、ルーレット装置２に設けられたボール検出センサ４４、原点センサ５７及び回転センサ５８が接続されている。ボール検出センサ４４は、前記したように中央固定部２２の３箇所に設けられており、正面に位置する当該ボール収納部２３にボール１１が収納されている場合に、その存在と対応付けられた番号を検知することができる。また、原点センサ５７は、正面に位置する当該ボール収納部２３の原点（「０」が対応付けられたボール収納部）に対する相対的な位置を検出することができる。また、回転センサ５８は回転可動部２０の回転の有無を検出することができる。そして、各センサの検出結果がサーバ制御用ＣＰＵ８０に送信されることにより、サーバ制御用ＣＰＵ８０は当選番号の判定を行う。
【００８０】
また、サーバ制御用ＣＰＵ８０には、モータ駆動回路５５を介して回転可動部２０の回転駆動を行う駆動モータ３４が接続されている。サーバ制御用ＣＰＵ８０からモータ駆動信号がモータ駆動回路５５に出力されると、駆動モータ３４はモータ駆動回路５５からのパルス信号が与えられ、そのパルス信号に基づいて所定の回転方向に所定回転数だけ回転駆動される。これにより回転可動部２０が中央固定部２２及び枠体２１に対して所定方向（例えば、反時計回り方向）に所定角度（例えば、４５度）だけ回転され、固定吐出口３３の正面位置に任意のボール収納部２３を配置することが可能となる。また、ＲＯＭ８１に記録された駆動モータ３４の制御プログラムに従って所定速度で所定期間、回転可動部２０を回転させることが可能となる。
【００８１】
また、サーバ制御用ＣＰＵ８０には、シャッタ３２を駆動させる駆動手段であるソレノイド１０８が接続されている。そして、サーバ制御用ＣＰＵ８０はボーナスゲームを開始する際には、ボール１１が収納されているボール収納部２３のシャッタ３２を構成するソレノイド１０８に対して電力を供給し、シャッタ３２を上昇させる（図７（Ｂ）参照）。そして、ボール１１が第２抽選エリア１０２へと搬送された後にはソレノイド１０８に対する電力供給を停止することにより、上昇していたシャッタ３２を再び下降させる。
【００８２】
更に、サーバ制御用ＣＰＵ８０には、時間計測を行うタイマー８４が接続されている。タイマー８４の時間情報はサーバ制御用ＣＰＵ８０に送信され、サーバ制御用ＣＰＵ８０はタイマー８４の時間情報に基づいて後述のように第１開閉弁１７及び第２開閉弁の開閉と、駆動モータ３４の駆動制御を行う。
【００８３】
また、サーバ制御用ＣＰＵ８０には、電光表示部７７（図１参照）が接続されている。そして、ＬＥＤ等の発光手段の発光を制御することにより電飾による演出を行い、また電光表示部７７に対して所定の文字等の表示を行う。更に、電光表示部７７の特にＪＰ額表示部７８には、現在までに累積されているＪＰの額を表示させる。
【００８４】
次に、本実施形態に係るメイン制御部８３のＣＰＵ８０に接続されたステーション４の制御系に係る構成について図１３に基づき説明する。図１３は本実施形態に係るステーションの制御系を模式的に示すブロック図である。尚、１２台設けられたステーション４は基本的に同じ構成を有しており、以下には１台のステーション４を例にして説明する。
【００８５】
ステーション４は、図１３に示すように、ステーション制御部９０、及びいくつかの周辺装置機器により構成されている。ステーション制御部９０は、ステーション制御用ＣＰＵ９１と、ＲＯＭ９２と、ＲＡＭ９３とからなっている。ＲＯＭ９２は、例えば、半導体メモリ等により構成され、ステーション４の基本的な機能を実現させるためのプログラム、その他ステーション４の制御上必要な各種のプログラム、データテーブル等が格納されている。また、ＲＡＭ９３は、ステーション制御用ＣＰＵ９１で演算された各種データ、遊技者の現在所有するクレジット数、遊技者によるチップのベット状況等を一時的に記憶しておくメモリである。
【００８６】
また、ステーション制御用ＣＰＵ９１には、コントロール部６（図１参照）に設けられたＢＥＴ確定ボタン６２、払い戻しボタン６３、ヘルプボタン６４がそれぞれ接続されている。そして、ステーション制御用ＣＰＵ９１は各ボタンの押下等により出力される操作信号に基づき、対応する各種の動作を実行すべく制御を行う。具体的には、遊技者の操作が入力されたことを受けてコントロール部６から供給される入力信号、並びに、ＲＯＭ９２、ＲＡＭ９３に記憶されたデータやプログラムに基づいて、各種の処理を実行し、その結果を上述したメイン制御部８３のサーバ制御用ＣＰＵ８０に送信する。
一方、ステーション制御用ＣＰＵ９１は、サーバ制御用ＣＰＵ８０からの命令信号を受信し、ステーション４を構成する周辺機器を制御し、ステーション４においてルーレットゲームを進行させる。また、ステーション制御用ＣＰＵ９１は、処理の内容によっては、遊技者の操作が入力されたことを受けてコントロール部６から供給される入力信号、及び、ＲＯＭ９２とＲＡＭ９３とに記憶されたデータやプログラムに基づいて、各種の処理を実行し、その結果に基づいて、ステーション４を構成する周辺機器を制御し、ステーション４においてルーレットゲームを進行させる。なお、どちらの方法で処理を行うかについては、その処理の内容に応じて、処理ごとに設定される。例えば、当選番号に対するメダルの払い出し処理は前者であり、遊技者によるＢＥＴ画面６１のベット操作処理は後者の処理に該当する。
【００８７】
また、ステーション制御用ＣＰＵ９１には、ホッパー９４が接続されている。ステーション制御用ＣＰＵ９１からの命令信号により、ホッパー９４は、所定枚数のメダルをメダル払出口８（図１参照）から払い出す。
更に、ステーション制御用ＣＰＵ９１には、液晶駆動回路９５を介して画像表示装置７が接続されている。この点、液晶駆動回路９５は、プログラムＲＯＭ、画像ＲＯＭ、画像制御ＣＰＵ、ワークＲＡＭ、ＶＤＰ（ビデオ・ディスプレイ・プロセッサ）及びビデオＲＡＭなどで構成されている。そして、プログラムＲＯＭには、画像表示装置７での表示に関する画像制御用プログラムや各種選択テーブルが格納されている。また、画像ＲＯＭには、例えば、画像表示装置７で表示される画像を形成するためのドットデータが格納されている。また、画像制御ＣＰＵは、ステーション制御用ＣＰＵ９１で設定されたパラメータに基づき、プログラムＲＯＭ内に予め記憶された画像制御プログラムに従い、画像ＲＯＭ内に予め記憶されたドットデータの中から画像表示装置７に表示する画像の決定を行うものである。また、ワークＲＡＭは、前記画像制御プログラムを画像制御ＣＰＵで実行するときの一時記憶手段として構成される。また、ＶＤＰは、画像制御ＣＰＵで決定された表示内容に応じた画像を形成し、画像表示装置７に出力するものである。尚、ビデオＲＡＭは、ＶＤＰで画像を形成するときの一時記憶手段として構成される。
【００８８】
また、画像表示装置７の前面には、前記したようにタッチパネル５３が取り付けられており、タッチパネル５３の操作情報はステーション制御用ＣＰＵ９１に対して送信される。タッチパネル５３では、前記ＢＥＴ画面６１において遊技者のチップのベット操作が行われる。具体的には、ＢＥＴエリアの選択、単位ＢＥＴボタン６６の操作等においてタッチパネル５３の操作が行われ、その情報がステーション制御用ＣＰＵ９１に送信さる。そして、その情報に基づいてＲＡＭ９３に現在の遊技者のベット情報（ＢＥＴ画面６１において指定したＢＥＴエリア、並びにベットしたチップの枚数）が随時記憶される。更に、そのベット情報はサーバ制御用ＣＰＵ８０に対して送信され、ＲＡＭ８２のベット情報記憶エリアに記憶される。
【００８９】
更に、音出力回路９６及びスピーカ９がステーション制御用ＣＰＵ９１に接続されており、スピーカ９は、音出力回路９６からの出力信号に基づき各種演出を行う際に各種の効果音を発生するものである。
【００９０】
また、ステーション制御用ＣＰＵ９１にメダルセンサ９７が接続されている。メダルセンサ９７はメダル投入口５（図１）から投入されたメダルを検出するとともに、投入されたメダルを演算し、その結果をステーション制御用ＣＰＵ９１に対して送信する。そして、ステーション制御用ＣＰＵ９１は、送信された信号に基づいてＲＡＭ９３に記憶された遊技者のクレジット数を増加させる。
【００９１】
次に、図１４に基づいてＲＯＭ８１に記憶された制御プログラムに基づく第１開閉弁１７及び第２開閉弁１８の開閉のタイミングと、駆動モータ３４の駆動制御について示す。図１４は第１開閉弁１７及び第２開閉弁１８の開閉のタイミングと駆動モータ３４の駆動制御とを示した説明図である。
【００９２】
図１４に示すように、通常ゲームが開始されると、先ず遊技者による各ステーション４でのチップのベットを行うベット期間が開始される。そして、ベット期間が終了する１０秒前になると、前回の当選番号と原点センサ５７の検出結果とに基づいてボール１１が収納されているボール収納部２３の位置が特定され、固定吐出口３３の正面にそのボール収納部２３が位置するまで駆動モータ３４を所定の第１回転速度で駆動し、回転可動部２０を所定の回転速度（例えば、４ｒｐｍ）で中央固定部２２に対して回転させる。その後、ベット期間が終了する５秒前になると、サーバ制御用ＣＰＵ８０は第１開閉弁１７を所定時間（本実施形態では２秒）開放する。同時に、第２開閉弁１８を開放し、ルーレット盤１２のバンク通路２９に沿って流れる環状の空気の層を作り出す（図１９参照）。そして、前記固定吐出口３３からの空気圧によってバンク通路２９方向へと転動されたボール１１が、空気の流れに従ってバンク通路２９を時計回り方向に回転する。それと同時に、駆動モータ３４を所定の第２回転速度及び第３回転速度で所定期間駆動し、回転可動部２０を所定の回転速度（例えば、５．００５ｒｐｍや１６．６８３ｒｐｍ）で中央固定部２２に対して回転させる。
その後、第２開閉弁１８の開放から所定時間（本実施形態では２０秒）経過した際に、サーバ制御用ＣＰＵ８０は第２開閉弁１８を閉鎖する。それにより、回転吐出口３６から吐出されていた空気が止まり、ボール１１の回転速度が徐々に弱まる。次第にボール１１が描く円は徐々に小さくなり、最後には遠心力を失って傾斜面２８の斜面を転がり落ち、ボール収納部２３に納まる。そして、第２開閉弁１８を閉鎖した後に、徐々に駆動モータ３４の回転速度を減衰させ、回転可動部２０の回転速度を遅くする。その間において、ボール検出センサ４４、原点センサ５７及び回転センサ５８の各センサにより当選番号の判定を行う。更に、判定された当選番号に従ってメダルの払い出しを行う。
更に、続けて通常ゲームを開始する場合には、同様にステーション４のベット期間が開始され、ベット期間の終了する１０秒前になると、サーバ制御用ＣＰＵ８０は第１開閉弁１７及び第２開閉弁１８を開放する。但し、通常ゲーム終了時に、特に遊技者が２０クレジット以上ベットした番号（本実施形態では「ストレート・アップ」でベットした番号のみ）が当選番号と判定された場合には、第２抽選エリア１０２へとボール１１が搬送されてボーナスゲームが開始される。尚、当該第１開閉弁１７及び第２開閉弁１８の開閉と駆動モータ３４の駆動制御に基づくルーレットゲーム処理プログラムについては後にフローチャートを用いて詳細に説明する（図１５、図１６参照）。
【００９３】
続いて、本実施形態に係るルーレットゲーム機１におけるサーバ１０が実行するゲーム処理プログラムについて図１５に基づき説明する。図１５は本実施形態に係るルーレットゲーム機１におけるルーレットゲーム処理プログラムのフローチャートである。尚、以下に図１５及び図１６にフローチャートで示される各プログラムはサーバ１０が備えているＲＯＭ８１やＲＡＭ８２に記憶されており、サーバ制御用ＣＰＵ８０により実行される。
【００９４】
先ず、ステップ（以下、Ｓと略記する）１において、サーバ制御用ＣＰＵ８０は、遊技者によるメダル又は貨幣が投入されたか否かを判断する。本実施形態に係るルーレットゲーム機１では、いずれかのステーション４でメダル投入口５にメダル又は貨幣が投入されると、メダルセンサ９７がその旨を検出しステーション制御用ＣＰＵ９１に送信される。その後、更にステーション４よりメイン制御部８３にメダル投入信号が送られる。それにより、サーバ制御用ＣＰＵ８０は遊技者によるメダル又は貨幣の投入を判断する。メダル又は貨幣の投入がない場合（Ｓ１：ＮＯ）には、投入されるまで待機される一方、メダル又は貨幣の投入があった場合（Ｓ１：ＹＥＳ）には、Ｓ２へ移行する。尚、メダル又は貨幣の投入があった場合、ステーション制御部９０では、投入枚数に応じた額のクレジットデータがＲＡＭ９３に記録される。
【００９５】
また、その遊技者の使用するステーション４の画像表示装置７には図１１に示したＢＥＴ画面６１が表示され、遊技者はチップをベットすることが可能となり、通常ゲームが開始される。尚、他の遊技者は、そのゲームに途中参加することが可能であり、本実施形態に係るルーレットゲーム機１では、最大１２人で遊技することができる。
【００９６】
そして、最初に参加した遊技者がメダル又は貨幣を投入した時点より、遊技者がベット可能な受入期間であるベット期間が開始される（Ｓ２）。尚、今回のゲームが前回のゲームに引き続いて行われる場合には、前回のゲーム終了後に続いてベット期間が開始される。そしてゲームに参加した遊技者は、このベット期間中に、タッチパネル５３を操作して、自分が予想する番号に関連したＢＥＴエリアに自分のチップをベットすることができる（図１１参照）。尚、ＢＥＴ画面６１を用いた具体的なベット方法に関しては既に説明したので、ここではその説明は省略する。
【００９７】
次に、Ｓ３でサーバ制御用ＣＰＵ８０は前回の通常ゲームにおける当選番号（「１」〜「３６」、「０」、「００」）を、ＲＡＭ８２の当選番号記憶エリアから読み出す。続けて、Ｓ４においてベット期間が終了する１０秒前となったか否かが判断される。ここでベット期間は、ＢＥＴタイマーグラフ６９によって表示されており、ベット期間開始時（Ｓ２）より赤いグラフが徐々に右側に延び始める。そして、最も右側まで延びたときに現在のゲームにおけるベット期間が終了する。
【００９８】
そして、ベット期間終了１０秒前であると判定された場合（Ｓ４：ＹＥＳ）には、駆動モータ３４を所定の第１回転速度によって駆動し、回転可動部２０を中央固定部２２に対して所定の回転速度（例えば、４ｒｐｍ）によって回転させる（Ｓ５）。一方、ベット期間終了１０秒前でないと判定された場合（Ｓ４：ＮＯ）には、１０秒前となるまで待機される。
【００９９】
また、回転可動部２０を第１速度で回転させる際に、回転センサ５８が回転可動部２０の回転を検知するとともに、中央固定部２２に設けられた原点センサ５７によって、前記Ｓ３で取得した前回の当選番号、即ち現時点でボール１１が収納されているボール収納部２３が固定吐出口３３に対して相対的にどの位置にあるのかが特定される。そして、Ｓ６では、その特定位置に基づいて回転可動部２０の回転によりボール１１が収納されているボール収納部２３が固定吐出口３３の正面に位置したか否かが判定される。
【０１００】
その結果、ボール１１が収納されているボール収納部２３が固定吐出口３３の正面に位置すると判定された場合（Ｓ６：ＹＥＳ）には、駆動モータ３４の駆動を停止させる（Ｓ７）。一方、ボール１１が収納されているボール収納部２３が固定吐出口３３の正面に位置しないと判定された場合（Ｓ６：ＮＯ）には、引き続き駆動モータ３４の駆動が行われる。
【０１０１】
ここで、図１７はステップ５乃至ステップ７におけるルーレット装置２の回転可動部２０の回転態様を示す模式図である。図１７に示すように、ボール１１が収納されたボール収納部２３（図１７では番号「２９」に対応付けられたボール収納部）が、固定吐出口３３に対して、右方向に２７番目に位置するボール収納部２３である場合には、回転可動部２０を反時計回りに回転させ、所定角度（図１７では右方向にボール収納部２７個分）回転させる。そして、ボール１１が収納されたボール収納部２３が固定吐出口３３の正面に位置した時点で、回転可動部２０の回転を停止させる。
【０１０２】
続いて、Ｓ８においてコンプレッサ１４の電源をＯＮとし、コンプレッサ１４による空気の圧縮を開始する。その後、Ｓ９においてベット期間が終了する５秒前となったか否かが判断され、ベット期間終了５秒前であると判定された場合（Ｓ９：ＹＥＳ）には、第１開閉弁１７及び第２開閉弁１８を開放する（Ｓ１０）。一方、ベット期間終了５秒前でないと判定された場合（Ｓ９：ＮＯ）には、５秒前となるまで待機される。
【０１０３】
ここで、第１開閉弁１７は、前記したようにコンプレッサ１４により圧縮した空気を固定吐出口３３へと搬送するエアチューブ１５に設けられており、エアチューブ１５を通過する空気の空気圧を調整することが可能となっている。第１開閉弁１７が開放されると、固定吐出口３３より圧縮された空気の吐出を開始する。それにより、空気通過孔３５を介してボール収納部２３に収納されているボール１１に対して空気圧を付加し、ボール１１を傾斜面２８の傾斜に抗してバンク通路２９へと転動させる。図１８はステップ１０におけるルーレット装置のボールの転動態様を示す模式図である。
【０１０４】
図１８に示すように、前記Ｓ１０において第１開閉弁１７が開放されると、中央固定部２２に設けられた固定吐出口３３からの空気圧によって、ボール収納部２３に収納されたボール１１がバンク通路２９方向（矢印７２方向）へと転動される。
【０１０５】
次に、Ｓ１１において第１開閉弁１７が開放された後に所定時間（本実施形態では２秒間）が経過したか否かが判断される。ここで、時間の経過はサーバ制御用ＣＰＵ８０に接続されたタイマー８４によって計測される。そして、第１開閉弁１７が開放されてからの計測値ｔ１が２秒未満である場合（Ｓ１１：ＮＯ）には、継続して第１開閉弁１７を開放する。
一方、第１開閉弁１７が開放されてからの計測値ｔ１が２秒以上である場合（Ｓ１１：ＹＥＳ）には、第１開閉弁１７を閉鎖し、固定吐出口３３からの空気の吐出を停止させる（Ｓ１２）。
【０１０６】
次に、Ｓ１３において、駆動モータ３４をＲＯＭ８１に記憶された駆動制御パターンに従って駆動制御し、回転可動部２０を中央固定部２２に対して所定の回転速度によって回転させる。尚、回転可動部２０の回転パターン及び駆動モータ３４の駆動制御に関しては図１４を用いて既に説明したので、ここではその詳細は省略する。尚、回転可動部２０の回転と同時に回転センサ５８が回転可動部２０の回転を検知し、また、中央固定部２２に設けられた原点センサ５７によって、原点センサの前方に位置するボール収納部２３が原点（「０」に対応するボール収納部）に対して相対的にどの位置にあるのかが常時検出される。
【０１０７】
また、前記Ｓ１０で開放された第２開閉弁１８は、前記したようにコンプレッサ１４により圧縮した空気を回転吐出口３６へと搬送するエアチューブ１６に設けられており、エアチューブ１６を通過する空気の空気圧を調整することが可能となっている。第２開閉弁１８が開放されると、回転吐出口３６より圧縮された空気の吐出を開始する。それにより、バンク通路２９に沿って時計回り方向に流れる空気の層が発生し、固定吐出口３３からの空気圧によってバンク通路２９へと転動されたボール１１は、吐出される空気圧に従って円軌道を描いた転動を開始する。図１９はステップ１３乃至ステップ１７におけるルーレット装置２のボール１１の転動態様を示す模式図である。
【０１０８】
図１９に示すように、前記Ｓ１０において第２開閉弁１８が開放されると、バンク通路２９にそれぞれ設けられた回転吐出口３６から吐出された空気によって、ルーレット盤１２にバンク通路２９に沿って時計回り方向（矢印７３方向）の空気の流れが形成される。そして、固定吐出口３３からの空気圧によってバンク通路２９方向へと転動されたボール１１が、回転吐出口３６からの空気圧に従って、ルーレット盤１２の周方向へと転動方向が変更される（矢印７４参照）。更に、回転吐出口３６からの空気圧が付加されたボール１１は遠心力によって徐々にルーレット盤１２の外周縁側へと転動され、バンク通路２９に沿って転動を開始する（矢印７５参照）。ここで、バンク通路２９は、ルーレット盤１２において転動するボール１１の遠心力に抗してガイドし、円周軌道を描いて転動させる。更に、その外周部にあたる上端にはバンク通路２９と連続して壁部３１が形成されているので、バンク通路２９上を回転運動するボール１１がルーレット盤１２より外へと飛び出す虞がない。また、回転可動部２０は中央固定部２２に対して反時計周り方向に図１４に示した回転パターンに従って回転する。
【０１０９】
次に、Ｓ１４においてベット期間が終了したか否かが判断される。そして、ベット期間終了前（Ｓ１４：ＮＯ）においては、続けてベットの受付を行う一方、ベット期間が終了した場合（Ｓ１４：ＹＥＳ）には、全ステーション４のステーション制御部９０に、ベット終了信号が出力され、各ステーション４の液晶画面には、ベットが終了した旨の画像が表示され、タッチパネル５３でのベット操作が禁止される。そして、各ステーション４において遊技者が行ったベット情報（指定したＢＥＴエリア、並びに指定したＢＥＴエリアにベットしたチップの枚数）を受信し（Ｓ１５）、ＲＡＭ８２のベット情報記憶エリアに記憶する。
【０１１０】
続いて、Ｓ１６においては、第２開閉弁１８が開放された後に所定時間（本実施形態では２０秒間）が経過したか否かが判断される。ここで、時間の経過はサーバ制御用ＣＰＵ８０に接続されたタイマー８４によって計測される。そして、第２開閉弁１８が開放されてからの計測値ｔ２が２０秒未満である場合（Ｓ１６：ＮＯ）には、継続して第２開閉弁１８を開放する。
一方、第２開閉弁１８が開放されてからの計測値ｔ２が２０秒以上である場合（Ｓ１６：ＹＥＳ）には、Ｓ１７へと移行する。
【０１１１】
Ｓ１７では、サーバ制御用ＣＰＵ８０は第２開閉弁１８を閉鎖し、回転吐出口３６からの空気の吐出を停止させる。更に、Ｓ１８でコンプレッサ１４の電源をＯＦＦとし、コンプレッサ１４による空気の圧縮を停止させる。
回転吐出口３６からの空気の吐出を停止させることにより、バンク通路２９に沿って転動するボール１１は、回転吐出口３６からの空気圧を受けることがなくなり、徐々に回転速度が落ちて遠心力が低下する。そして、最終的には傾斜面２８を転がり落ちてルーレット盤１２の内側へと向かい、回転する回転可動部２０に至る。図２０はステップ１７におけるルーレット装置のボールの転動態様を示す模式図である。
【０１１２】
図２０に示すように、前記Ｓ１７において第２開閉弁１８が閉鎖されると、バンク通路２９にそれぞれ設けられた回転吐出口３６から吐出されていた空気が止まり、空気圧を受けることのなくなったボール１１の回転速度が徐々に低下する。そして、速度とともに遠心力も低下したボール１１は、傾斜面２８の傾斜に沿ってバンク通路２９より徐々に内側方向へと移動しながら円周軌道を描き続ける。最終的には傾斜面２８を転がり落ちて内側へと向かい、回転する回転可動部２０に至る（矢印７６参照）。
そして、回転可動部２０方向へと転がったボール１１は、回転する回転可動部２０の外側の番号表示板２４上を通っていずれかのボール収納部２３に納まり、ボール１１が納まったボール収納部２３に対応する番号表示板２４に記載された数字（「０」、「００」、「１」〜「３６」のいずれか）が当選番号となる。
【０１１３】
続いて、Ｓ１９では駆動モータ３４の回転速度を徐々に減衰し、ボール収納部２３に収納されたボール１１をボール検出センサ４４によって検出する。そして、ボール検出センサ４４によってボールが検出されたタイミングにおける原点センサ５７の検出結果から、ボール１１が検出されたボール収納部２３に対応付けられた番号（「０」、「００」、「１」〜「３６」）、即ち当選番号を特定する。
【０１１４】
更に、サーバ制御用ＣＰＵ８０は、駆動モータ３４の駆動を停止し（Ｓ２０）、前記Ｓ１５において受信した各ステーション４のベット情報と、前記Ｓ１９において判定された当選番号とから、各ステーション４においてベットしたチップが当選しているか否かの判定を行う（Ｓ２１）。
【０１１５】
そして、前記Ｓ２１の当選判定に基づいて、少なくとも一のステーション４においてベットしたチップが当選しているか否かが判断される（Ｓ２２）。チップが当選していると判断された場合（Ｓ２２：ＹＥＳ）には、サーバ制御用ＣＰＵ８０は配当計算処理を実行する（Ｓ２３）。配当計算処理では、当たりチップをステーション４ごとに認識し、ＲＯＭ８１の配当クレジット記憶エリアに記憶されたＢＥＴエリアに対するオッズ（チップ一枚あたりに払い出されるクレジット数）を用いて、各ステーション４に払い出されるクレジットの配当額の合計を計算する。続いてＳ２４へと移行する。
一方、全てのステーション４において当選したチップがないと判断された場合（Ｓ２２：ＮＯ）には、Ｓ２７へと移行する。
【０１１６】
Ｓ２４では、前記Ｓ２１の当選判定に基づいて、遊技者が２０クレジット以上ベットした番号（本実施形態では「ストレート・アップ」でベットした番号のみ）が当選番号と判定されたか否かを判定する。そして、遊技者が２０クレジット以上ベットした番号が当選番号と判定された場合（Ｓ２４：ＹＥＳ）には後述のボーナスゲーム処理（図１６）を行う。ここで、ボーナスゲーム処理では後述するようにボール１１を第１抽選エリア１０１から第２抽選エリア１０２へと搬送し、第２抽選エリア１０２を用いた抽選を行う。
一方、遊技者が２０クレジット未満のみベットした番号が当選番号と判定された場合（Ｓ２４：ＮＯ）には、Ｓ２６へと移行する。
【０１１７】
Ｓ２６では、前記Ｓ２３の配当計算処理に基づいてクレジットの払い出し処理を実行する。ステーション４にクレジットを払い出す際には、メイン制御部８３から、当選したステーション４のステーション制御部９０に、通常ゲームとボーナスゲームの配当額に相当するクレジットデータが出力される。そして、このクレジットデータは、該当するステーション４のＲＡＭ９３に加算される。
【０１１８】
Ｓ２７では、少なくとも一のステーション４において継続して遊技が行われるか否かが判定される。遊技者は遊技を終了する際に通常、払い戻しボタン６３を押下する。払い戻しボタン６３が押下されると、通常ゲームやボーナスゲームによって獲得した現在遊技者が所有するクレジットに応じたメダル（通常は１クレジットに対してメダル１枚）がホッパー９４を介してメダル払出口８から払い戻される。
【０１１９】
そして、いずれかのステーション４において遊技が継続して行われる場合（Ｓ２７：ＮＯ）には、Ｓ２へと戻り再度ベット期間が開始され、次回のゲームへと移行する。
一方、全てのステーション４において遊技が終了される場合（Ｓ２７：ＹＥＳ）には、当該ルーレットゲーム処理を終了する。
【０１２０】
次に、前記Ｓ２５のボーナスゲーム処理のサブ処理について説明する。図１６は本実施形態に係るルーレットゲーム機１のサーバ制御用ＣＰＵ８０が実行するボーナスゲーム処理のサブ処理を示すサブフローチャートである。
【０１２１】
先ず、ボーナスゲーム処理のＳ３１でサーバ制御用ＣＰＵ８０は、前記Ｓ２１で当選したと判定された番号に対応するボール収納部２３（即ち、ボール１１が収納されたボール収納部２３）のシャッタ３２を動作させる。具体的には、対応するボール収納部２３に設けられたシャッタ３２を構成するソレノイド１０８に対して電力を供給し、シャッタ３２を上昇させる（図７（Ｂ）参照）。
【０１２２】
そして、Ｓ３２では駆動モータ３４を駆動し、回転可動部２０を中央固定部２２に対して所定の回転速度（例えば、４ｒｐｍ）によって回転させる。次に、Ｓ３３では、回転可動部２０の回転によりボール１１が収納されているボール収納部２３が固定吐出口３３の正面に位置したか否かが判定される。
【０１２３】
その結果、ボール１１が収納されているボール収納部２３が固定吐出口３３の正面に位置すると判定された場合（Ｓ３３：ＹＥＳ）には、駆動モータ３４の駆動を停止させる（Ｓ３４）。一方、ボール１１が収納されているボール収納部２３が固定吐出口３３の正面に位置しないと判定された場合（Ｓ３３：ＮＯ）には、引き続き駆動モータ３４の駆動が行われる。
【０１２４】
続いて、Ｓ３５においてサーバ制御用ＣＰＵ８０はコンプレッサ１４の電源をＯＮとし、コンプレッサ１４による空気の圧縮を開始し、第１開閉弁１７を開放する（Ｓ３６）。
ここで、第１開閉弁１７は、前記したようにコンプレッサ１４により圧縮した空気を固定吐出口３３へと搬送するエアチューブ１５に設けられており、エアチューブ１５を通過する空気の空気圧を調整することが可能となっている。第１開閉弁１７が開放されると、固定吐出口３３より圧縮された空気の吐出を開始する。それにより、空気通過孔３５を介してボール収納部２３に収納されているボール１１に対して空気圧を付加し、ボール１１を傾斜面２８の傾斜に抗してバンク通路２９へと転動させる。その後、ボール１１はシャッタ３２と接触した後にシャッタ３２の曲面１０７Ａに沿ってボール１１の進行方向が上方向へと変更し、第２抽選エリア１０２方向へと投げ出される（図７（Ｂ）参照）。図２１はステップ３６におけるルーレット装置の第２抽選エリア１０２へのボール１１の搬送態様を示す模式図である。
【０１２５】
図２１に示すように、前記Ｓ３６において第１開閉弁１７が開放されると、中央固定部２２に設けられた固定吐出口３３からの空気圧とシャッタ３２によって、ボール収納部２３に収納されたボール１１が第１抽選エリア１０１から第２抽選エリア１０２へと搬送される。それによって、第２抽選エリア１０２を用いた抽選が開始される。
【０１２６】
次に、Ｓ３７において第１開閉弁１７が開放された後に所定時間（本実施形態では２秒間）が経過したか否かが判断される。ここで、時間の経過はサーバ制御用ＣＰＵ８０に接続されたタイマー８４によって計測される。そして、第１開閉弁１７が開放されてからの計測値ｔ１が２秒未満である場合（Ｓ３７：ＮＯ）には、継続して第１開閉弁１７を開放する。
【０１２７】
一方、第１開閉弁１７が開放されてからの計測値ｔ１が２秒以上である場合（Ｓ３７：ＹＥＳ）には、第１開閉弁１７を閉鎖し、固定吐出口３３からの空気の吐出を停止させる（Ｓ３８）。更に、Ｓ３９でコンプレッサ１４の電源をＯＦＦとし、コンプレッサ１４による空気の圧縮を停止させる。
【０１２８】
その後、Ｓ４０では前記Ｓ３１で上昇させたシャッタ３２を下降させる。更に、Ｓ４１では、第２抽選エリア１０２へと搬送されたボール１１が、第２抽選エリア１０２に形成されたどの特別ボール収納部１０４に収納されたかをセンサ等によって判定する。
そして、「ＪＰ」の配当表示板１０６が形成された特別ボール収納部１０４にボール１１が収納された場合には累積されたＪＰの額に相当するクレジットが通常ゲームの配当とは別に２０クレジット以上ベットした遊技者に対してＳ２６で払い出される。また、「×２」の配当表示板１０６が形成された特別ボール収納部１０４にボール１１が収納された場合には直前の通常ゲームにおいて２０クレジット以上ベットした遊技者へ払い出すクレジット数を倍にしてＳ２６で払い出す。また、「×３」の配当表示板１０６が形成された特別ボール収納部１０４にボール１１が収納された場合には直前の通常ゲームにおいて２０クレジット以上ベットした遊技者へ払い出すクレジット数を３倍にしてＳ２６で払い出す。また、「＋５００」の配当表示板１０６が形成された特別ボール収納部１０４にボール１１が収納された場合には通常ゲームの配当とは別に５００クレジットが通常ゲームにおいて２０クレジット以上ベットした遊技者に対してＳ２６で払い出される。また、それ以外の特別ボール収納部１０４に収納された場合はハズレとなり、ボーナスゲームでの配当は付与されず、通常ゲームの配当のみがＳ２６で払い出される。
【０１２９】
以上説明した通り本実施形態に係るルーレットゲーム機１では、第１抽選エリア１０１を用いた通常ゲームにおいて、各ステーション４で遊技者が２０クレジット以上ベットした番号が当選番号となった場合（２４：ＹＥＳ）には、シャッタ３２を上昇させ（Ｓ３１）、ボール１１を第１抽選エリア１０１から第２抽選エリア１０２へと搬送し、第２抽選エリア１０２を用いたボーナスゲームを行うので、第２抽選エリア１０２へと搬送する際にボール１１の流れに大きな変化を与えることが可能となる。従って、第２抽選エリア１０２の抽選に移行したことに対して遊技者に視覚的に大きな達成感を与えることができるとともに第２抽選エリア１０２での抽選結果に対する期待感も向上させることができる。
また、遊技者のＢＥＴ画面６１を用いたベット操作内容と第１抽選エリアでの抽選結果に基づいて、遊技者が第１抽選エリア１０１で多くの配当を得た場合に第２抽選エリア１０２を用いたボーナスゲームへと移行するので、遊技者のボーナスゲームに対する期待感がより向上する。従って、長時間遊技を行う場合であっても遊技者を飽きさせることのない多彩な遊技を提供することが可能となる。
更に、ボール１１を発射するのに使用する固定吐出口３３と第１抽選エリア１０１で昇降可能に支持されるシャッタ３２を用いて、第１抽選エリア１０１から第２抽選エリア１０２へのボール１１の搬送を行うので、ルーレット盤１２の構成を従来の構造から大きく変化させることなくボール１１の搬送を行うことが可能となる。
【０１３０】
尚、本発明は前記実施例に限定されるものではなく、本発明の要旨を逸脱しない範囲内で種々の改良、変形が可能であることは勿論である。
例えば、本実施形態ではボール１１を第１抽選エリア１０１から第２抽選エリア１０２へと搬送する手段として、先ずシャッタ３２を上昇させ、固定吐出口３３からの空気圧に基づいてボール収納部２３に収納されたボール１１を第２抽選エリア１０２方向へと投げ出すことにより行っていたが、例えば、第１抽選エリア１０１と第２抽選エリア１０２との間にエリアを区画する可動シャッタを設け、可動シャッタを下げることにより第１抽選エリア１０１のボール１１を１０２へと移動させることとしても良い。
【０１３１】
また、本実施形態においてはシャッタ３２を駆動する駆動手段としてソレノイド１０８を用いていたが、ソレノイド１０８以外にも例えばステッピングモータを用いてシャッタ３２を駆動させることとしても良い。
【０１３２】
また、本実施形態においては、遊技者が「ストレート・アップ」により２０クレジット以上ベットした番号が当選した場合にボーナスゲームへと移行することとしていたが、「スプリット・ベット」、「ストリート・ベット」等の他のベット方法により２０クレジット以上ベットされた番号が当選した場合でもボーナスゲームに移行することとしても良い。
【図面の簡単な説明】
【０１３３】
【図１】本実施形態に係るルーレットゲーム機の概略構成を示す外観斜視図である。
【図２】本実施形態に係るルーレット装置を示す斜視図である。
【図３】本実施形態に係るルーレット装置を示す平面図である。
【図４】図３の線Ａ−Ａでルーレット装置を切断した矢視断面図である。
【図５】図４の特にボール収納部付近を拡大して示した模式図である。
【図６】本実施形態に係るルーレット装置のボール収納部付近を拡大して示した斜視図である。
【図７】（Ａ）はボール収納部へと転動するボールの転動態様を説明した説明図、（Ｂ）はシャッタによって第１抽選エリアから第２抽選エリアへと搬送されるボールの動きを説明した説明図である。
【図８】本実施形態に係るルーレット装置のバンク通路付近を拡大して示した斜視図である。
【図９】図３の線Ｂ−Ｂでルーレット装置を切断した矢視断面図である。
【図１０】本実施形態に係るルーレット装置において、中央固定部に対して回転可動部を回転可能に支持するクロスボールベアリングを所定位置で切断して示した模式図である。
【図１１】画像表示装置に表示される表示画面の一例を示した図である。
【図１２】本実施形態に係るルーレットゲーム機の制御系を模式的に示すブロック図である。
【図１３】本実施形態に係るステーションの制御系を模式的に示すブロック図である。
【図１４】第１開閉弁及び第２開閉弁の開閉のタイミングと駆動モータの駆動制御とを示した説明図である。
【図１５】本実施形態に係るルーレットゲーム処理プログラムのフローチャートである。
【図１６】本実施形態に係るボーナスゲーム処理プログラムのフローチャートである。
【図１７】ステップ５乃至ステップ７におけるルーレット装置のボールの転動態様を示す模式図である。
【図１８】ステップ１０におけるルーレット装置のボールの転動態様を示す模式図である。
【図１９】ステップ１３乃至ステップ１７におけるルーレット装置のボールの転動態様を示す模式図である。
【図２０】ステップ１７におけるルーレット装置のボールの転動態様を示す模式図である。
【図２１】ステップ３６におけるルーレット装置の第２抽選エリアへのボールの搬送態様を示す模式図である。
【符号の説明】
【０１３４】
１                  ルーレットゲーム機
２                  ルーレット装置
１１                ボール
２３                ボール収納部
３２                シャッタ
３３                固定吐出口
４４                ボール検出センサ
５７                原点センサ
５８                回転センサ
８０                サーバ制御用ＣＰＵ
８１                ＲＯＭ
８２                ＲＡＭ
１０１              第１抽選エリア
１０２              第２抽選エリア
１０４              特別ボール収納部
【図１】
0004841310.tif 000002
【図２】
0004841310.tif 000003
【図３】
0004841310.tif 000004
【図４】
0004841310.tif 000005
【図５】
0004841310.tif 000006
【図６】
0004841310.tif 000007
【図７】
0004841310.tif 000008
【図８】
0004841310.tif 000009
【図９】
0004841310.tif 000010
【図１０】
0004841310.tif 000011
【図１１】
0004841310.tif 000012
【図１２】
0004841310.tif 000013
【図１３】
0004841310.tif 000014
【図１４】
0004841310.tif 000015
【図１５】
0004841310.tif 000016
【図１６】
0004841310.tif 000017
【図１７】
0004841310.tif 000018
【図１８】
0004841310.tif 000019
【図１９】
0004841310.tif 000020
【図２０】
0004841310.tif 000021
【図２１】
0004841310.tif 000022